(57)【特許請求の範囲】
【請求項１】
加熱時に内部蒸気圧が所定圧力以上になった時に蒸気を外に抜く蒸気抜き部を有する包装袋を用いた密封包装食品を収納する外装用カートンであって、天面部、側壁部及び底部を有する扁平状の直方体形状を呈しており、前記天面部の所定位置に２本のミシン目線と所定形状の切れ目を直線状に所定間隔で多数個配置してなる２本の切れ目線とが該ミシン目線同士及び該切れ目線同士がそれぞれ相対するように閉じて連結されて設けられ、さらに、少なくとも、天面部の周縁の一点から一方のミシン目線の内側まで延びた後に折り返し、周縁の他点に延びる凸状ミシン目線で区画された開封部が設けられていることを特徴とする外装用カートン。
【請求項２】
前記ミシン目線が中の包装袋が加熱膨張し、天面部が膨らんだ時に簡単に切断する形状のものからなると共に、前記切れ目線が中の包装袋が加熱膨張し、天面部が膨らんだ時に各切れ目の部分が上方に引っ張られて、所定形状の空間を形成するものからなることを特徴とする請求項１記載の外装用カートン。
【発明の詳細な説明】
【技術分野】
【０００１】
本発明は、電子レンジ等で加熱調理する密封包装食品を収納する為の外装用カートンに関するものである。
【背景技術】
【０００２】
近年、調理済みあるいは半調理済みの食品等を積層包装材料からなる包装袋に充填、密封し、食する直前に電子レンジで加熱、調理するタイプの包装食品が多く使用されている。これらの包装食品の包装形態としては、種々のものがあり、例えば、前記食品を柔らかい包装袋に充填、密封しただけの包装形態のもの、あるいは、前記食品を包装袋で密封したものを外装用カートンに収納した二重包装形態のものなどがある。使用する包装袋には加熱時に食品等から発生する水蒸気等の内圧により破袋したり、食品等が外に飛散するのを防止する為の各種工夫が必要であり、外装用カートンを用いた二重包装形態のものをそのまま電子レンジで加熱調理する場合には、使用する外装用カートンにも蒸気を外側に逃がす機能が要求される。前記二重包装形態で使用する外装用カートンとして、蒸気を外側に逃がす機能を設けたものが提案されている（例えば、特許文献１参照。）。
【特許文献１】特許第３４６３２９６号公報
【発明の開示】
【発明が解決しようとする課題】
【０００３】
しかしながら、前記提案されている外装用カートンを使用したものは、電子レンジで加熱調理する時に包装袋から噴出した水蒸気で火傷したり、電子レンジ内部を内容物で汚してしまう等の欠点を有していた。
【０００４】
本発明の課題は、包装袋を用いた密封包装食品を収納する外装用カートンで、電子レンジで加熱調理する時に包装袋から噴出した水蒸気で火傷せず、電子レンジ内部を内容物で汚さない外装用カートンを提供することにある。
【課題を解決するための手段】
【０００５】
本発明の請求項１に係る発明は、加熱時に内部蒸気圧が所定圧力以上になった時に蒸気を外に抜く蒸気抜き部を有する包装袋を用いた密封包装食品を収納する外装用カートンであって、天面部、側壁部及び底部を有する扁平状の直方体形状を呈しており、前記天面部の所定位置に２本のミシン目線と所定形状の切れ目を直線状に所定間隔で多数個配置してなる２本の切れ目線とが該ミシン目線同士及び該切れ目線同士がそれぞれ相対するように閉じて連結されて設けられ、さらに、少なくとも、天面部の周縁の一点から一方のミシン目線の内側まで延びた後に折り返し、周縁の他点に延びる凸状ミシン目線で区画された開封部が設けられていることを特徴とする外装用カートンである。
【０００６】
本発明の請求項２に係る発明は、上記請求項１に係る発明において、前記ミシン目線が中の包装袋が加熱膨張し、天面部が膨らんだ時に簡単に切断する形状のものからなると共に、前記切れ目線が中の包装袋が加熱膨張し、天面部が膨らんだ時に各切れ目の部分が上方に引っ張られて、所定形状の空間を形成するものからなることを特徴とする外装用カートンである。
【発明の効果】
【０００７】
本発明の外装用カートンは、加熱時に内部蒸気圧が所定圧力以上になった時に蒸気を外に抜く蒸気抜き部を有する包装袋を用いた密封包装食品を収納する外装用カートンであっ
て、天面部、側壁部及び底部を有する扁平状の直方体形状を呈しており、前記天面部の所定位置に２本のミシン目線と所定形状の切れ目を直線状に所定間隔で多数個配置してなる２本の切れ目線とが該ミシン目線同士及び該切れ目線同士がそれぞれ相対するように閉じて連結されて設けられ、さらに、少なくとも、天面部の周縁の一点から一方のミシン目線の内側まで延びた後に折り返し、周縁の他点に延びる凸状ミシン目線で区画された開封部が設けられており、前記ミシン目線が中の包装袋が加熱膨張し、天面部が膨らんだ時に簡単に切断する形状のものからなると共に、前記切れ目線が中の包装袋が加熱膨張し、天面部が膨らんだ時に各切れ目の部分が上方に引っ張られて、所定形状の空間を形成するものからなっているので、電子レンジで加熱調理する前に開封部を凸状ミシン目線に沿って切断し、上方に垂直に立ち上げた状態にした後で加熱調理すれば、上方に立ち上げた開封部が、中の包装袋から外装用カートンの側壁部方向に噴出した水蒸気の外側への噴出を防止する壁の役割を果たすので火傷したり、電子レンジ内部を汚すことがなく、さらに２本のミシン目線と２本の切れ目線で区画された部分が中の包装袋の過度な膨れを防止する役割を果たす。
【発明を実施するための最良の形態】
【０００８】
本発明の外装用カートンを実施の形態に沿って、以下に説明する。図２は本発明の外装用カートンに使用するブランクの一実施形態を示す平面図であり、ブランク（１０）は、長方形の側壁部用外板（１２）の一方の長辺に、天面部用板（１１）、側壁部用外板（１３）、底部用板（１４）、側壁部用内板（１５）が順次、罫線（ａ、ｂ、ｃ、ｄ）を介してそれぞれ連設され、側壁部用外板（１２）の両側の短辺には舌片（２０）及び舌片（２１）が罫線（ｅ、ｆ）を介して連設され、天面部用板（１１）の両側の短辺には側壁部用外板（１６）及び側壁部用外板（１７）が罫線（ｅ、ｆ）を介して連設され、側壁部用外板（１３）の両側の短辺には舌片（２２）及び舌片（２３）が罫線（ｅ、ｆ）を介して連設され、底部用板（１４）の両側の短辺には側壁部用内板（１８）及び側壁部用内板（１９）が罫線（ｅ、ｆ）を介して連設されており、さらに、天面部用板（１１）には、２本の直線状のミシン目線（２６、２７）と、切れ目（２８ａ、２８ｂ、２８ｃ、２８ｄ、２８ｅ）からなる切れ目線（２８）と切れ目（２９ａ、２９ｂ、２９ｃ、２９ｄ、２９ｅ、図示せず）からなる切れ目線（２９）とがミシン目線同士及び切れ目線同士がそれぞれ相対するように閉じて連結されて設けられており、さらに、天面部用板（１１）の周縁の一点からミシン目線（２６）の内側まで延びた後に折り返し、周縁の他点に延びる凸状ミシン目線（２５）で区画された開封部（２４）が設けられている。
【０００９】
前記凸状ミシン目線（２５）は、両先端が側壁部用外板（１６）の周縁まで延びていても良く、その場合は、側壁部用内板（１８）にも側壁部用外板（１６）のミシン目線と重なるような位置にミシン目線を設けるのが好ましい。
【００１０】
図１は本発明の外装用カートンの一実施形態を示す斜視図であり、外装用カートン（１）は、前記ブランク（１０）からなっており、天面部（２）、側壁部（３、４、５、６）及び底部（７）を有しており、天面部（２）には、ミシン目線（２６）及びミシン目線（２７）と、切れ目（２８ａ、２８ｂ、２８ｃ、２８ｄ、２８ｅ）からなる切れ目線（２８）及び切れ目（２９ａ、２９ｂ、２９ｃ、２９ｄ、２９ｅ）からなる切れ目線（２９）とがミシン目線同士及び切れ目線同士がそれぞれ相対するように閉じて連結されて設けられており、さらに、天面部（２）の周縁の一点からミシン目線（２６）の内側まで延びた後に折り返し、周縁の他点に延びる凸状ミシン目線（２５）で区画された開封部（２４）が設けられている。
【００１１】
前記ミシン目線（２６、２７）は、収納されている密封包装食品が加熱され、内圧が上昇して包装袋が膨張し、同時に外装用カートンの天面部（２）が膨らんだ時に天面部を部分的に切断する為に設けており、簡単に切断される形状のものからなっており、また、前
記切れ目線（２８、２９）は、天面部が膨らんでミシン目線（２６、２７）が切断された後に各切れ目（２８ａ、２８ｂ、２８ｃ、２８ｄ、２８ｅ、２９ａ、２９ｂ、２９ｃ、２９ｄ、２９ｅ）の部分が上方に引っ張られて所定形状の空間（３０）を形成するものからなっており、天面部のミシン目線（２６、２７）と切れ目線（２８、２９）で囲まれた部分を上方に保持させる為に設けている。天面部のミシン目線（２６、２７）と切れ目線（２８、２９）で囲まれた部分を上方に保持させることで、加熱調理時に中の包装袋が過度に膨張するのを防止できる。
【００１２】
前記開封部（２４）は、凸状ミシン目線（２５）に沿って切断した後に上方に垂直に立ち上げることにより、加熱調理時に中の包装袋から外装用カートンの側壁部（３）方向に噴出した水蒸気が外部へ直接噴出してしまうのを防止する壁の役割を果たす。開封部（２４）を上記状態にすることにより、人が火傷したり、電子レンジ内が食品で汚れるのを防止出来る。
【００１３】
図３（ａ）〜（ｃ）は本発明の外装用カートンの使用状態を示す説明図であり、図３（ａ）は包装袋に食品を充填密封した密封包装食品（図示せず）を外装用カートンに収納した状態で電子レンジ加熱する前の状態を示す図で、外装用カートンは開封部（２４）が凸状ミシン目線に沿って切断され、上方に垂直に立ち上げられた状態を示しており、図３（ｂ）は包装袋に食品を充填密封した密封包装食品（図示せず）を外装用カートンに収納した状態で電子レンジ加熱した状態を示す図で、外装用カートンは開封部（２４）が上方に立ち上げられた状態で加熱され、中の包装袋（図示せず）が膨張し、天面部が膨らんだ時にミシン目線（２６）が切断され、切れ目線（２９）は各切れ目の部分が上方に引っ張られてそれぞれ空間（３０）を有するように広がり、天面部のミシン目線と切れ目線で囲まれた部分が上方に保持された状態を示している。なお、図示していないが、ミシン目線（２７）も切断され、切れ目線（２８）も同様な状態になっている。
【００１４】
図３（ｃ）は同様に、包装袋に食品を充填密封した密封包装食品（図示せず）を外装用カートンに収納した状態で電子レンジ加熱した状態を示す図で、外装用カートン（１）には、蒸気抜き部（３２）を有する包装袋（３１）に食品（３５）を充填密封した密封包装食品（３６）が収納されており、電子レンジ加熱時に蒸気抜き部（３２）の孔（３４）から外装用カートン（１）の側壁部（３）方向に噴射された水蒸気（３７）は、立ち上げられた開封部（２４）の部分が壁になり、外側に噴射されないで、上方に逃げていく状態を示している。従って、人が火傷したり、電子レンジ内が食品で汚されることが無い。なお、包装袋（３１）は、蒸気抜き部（３２）の内面にイージーピール性テープ（３３）が接着されており、電子レンジ加熱する前はイージーピール性テープ（３３）は両面が包装袋（３１）の内面に接着されており、電子レンジ加熱時に内圧が上昇してイージーピール性テープ（３３）の片面が包装袋（３１）の内面から剥離し、その部分に水蒸気（３７）の噴出通路ができるようになっている。
【００１５】
本発明の外装用カートンに使用する材料としては、坪量２５０〜５００ｇ／ｍ2 の板紙が主に使用される。
【図面の簡単な説明】
【００１６】
【図１】本発明の外装用カートンの一実施形態を示す斜視図である。
【図２】本発明の外装用カートンに使用するブランクの一実施形態を示す平面図である。
【図３】（ａ）〜（ｃ）は本発明の外装用カートンの使用状態を示す説明図である。
【符号の説明】
【００１７】
１…外装用カートン
２…天面部
３，４，５，６…側壁部
７…底部
１０…ブランク
１１…天面部用板
１２，１３…側壁部用外板
１４…底部用板
１５…側壁部用内板
１６，１７…側壁部用外板
１８，１９…側壁部用内板
２０，２１，２２，２３…舌片
２４…開封部
２５…凸状ミシン目線
２６，２７…ミシン目線
２８…切れ目線
２８ａ，２８ｂ，２８ｃ，２８ｄ，２８ｅ…切れ目
２９…切れ目線
２９ａ，２９ｂ，２９ｃ，２９ｄ，２９ｅ…切れ目
３０…空間
３１…包装袋
３２…蒸気抜き部
３３…イージーピール性テープ
３４…孔
３５…食品
３６…密封包装食品
３７…水蒸気
ａ，ｂ，ｃ，ｄ，ｅ，ｆ…罫線
【図１】
0004839948.tif 000002
【図２】
0004839948.tif 000003
【図３】
0004839948.tif 000004